(57)【要約】【課題】   鮑鉤によって鮑を捕獲する前に、捕獲規制の対象となっている鮑の大きさを判定すること。【解決手段】   規制された捕獲寸法の目印となる標識17を両端に有する細長い弾性体で構成され、鮑鉤３の屈曲部32を含む平面と交叉するように鮑鉤３に取り付ける。鮑を捕獲する際には、見付けた鮑に竿４に縛り付けた鮑鉤３を接近させて、２つの標識17を鮑に合わせ、鮑が２つの標識17の間隔よりも大きいと判断した場合のみ、その鮑を捕獲する。【選択図】      図２
2006226819.tif 000002
【特許請求の範囲】
【請求項１】
両端に目印となる標識を有する細長い弾性体よりなり、鮑鉤の屈曲部を含む平面と交叉するように鮑鉤に取り付けることを特徴とする鮑の大きさ判定用具。
【請求項２】
後端より大きさが次第に小さくなる複数の穴をあけた取付部と、該取付部と交叉して両端に目印となる標識が形成された羽根部とよりなり、弾性を有する薄板で形成されたことを特徴とする鮑の大きさ判定用具。
【請求項３】
一端部に目印となる標識を取り付けた２つのコイル・スプリングと、鮑鉤の屈曲部の両側に植設された螺子棒に上記２つのコイル・スプリングの他端部をねじ込んだことを特徴とする鮑の大きさ判定用具。
【発明の詳細な説明】
【技術分野】
【０００１】
この発明は、船上において海底に生息する鮑の大きさを判定する用具に関し、鮑の大きさが規制された捕獲寸法以上の大きさであるか否かを判定するために使用する鮑の大きさ判定用具に関する。
【背景技術】
【０００２】
近年、乱獲や自然破壊による海洋資源の減少が大きな社会問題になっている。特に、繁殖力が弱く成長に時間のかかる鮑は、年々捕獲量が減少している。そこで、鮑を人工授精による養殖により幼貝まで飼育して放養したり、捕獲する際に規定の大きさまで成長していない鮑の捕獲を禁止するように規制されている。
【発明の開示】
【発明が解決しようとする課題】
【０００３】
鮑の捕獲方法には、潜水によって捕獲する方法と、船上から箱眼鏡（四角錐台形または円錐台形の箱の底部にガラス板を嵌め込んだもの）を用いて海底を眺め、鮑を見付けると、図５に示すような長い竿４の先端に取り付けた鮑鉤３によって鮑の殻を引っ掛け、網の中に入れて船上に引き上げる捕獲方法が普通に行われている。
【０００４】
潜水による鮑の捕獲方法においては、下記特許文献１に記載されているような、捕獲前に鮑が捕獲可能な大きさまで成長しているか否かを判定するために、コ字形で板状の鮑の測定器を携行して潜水し、海底において見付けた鮑の大きさを測定器により判定して大きな鮑しか捕獲していない。
【０００５】
船上から鮑を捕獲する方法においては、水深や光の屈折に起因して、船上から鮑の大きさを判定することは困難であるから、明らかに小さい鮑を除いて捕獲して引き上げ、船上において下記特許文献１に記載の測定器などにより判定して、規制された小さい鮑は放している。
【０００６】
しかし、鮑鉤によって鮑の殻を引っ掛けて捕獲する際に、殻で覆われた動物体を引っ掛けて傷を付けることがある。一度、鮑の動物体に傷を付けると、その鮑は３年間産卵しなくなることが知られている。
【特許文献１】実用新案登録第３０３５９１９号公報
【０００７】
そこで、この発明は、このような問題点を解決するために考えられたものであって、船上において海底に生息する鮑の大きさを判定することを可能にすることを目的としている。
【課題を解決するための手段】
【０００８】
請求項１に記載のこの発明の鮑の大きさ判定用具は、両端に目印となる標識を有する細長い弾性体よりなり、鮑鉤の屈曲部を含む平面と交叉するように鮑鉤に取り付けるように構成されている。
【０００９】
請求項２に記載のこの発明の鮑の大きさ判定用具は、後端より大きさが次第に小さくなる複数の穴をあけた取付部と、この取付部と交叉して両端に目印となる標識が形成された羽根部とよりなり、弾性を有する薄板で形成されて鮑鉤に取り付けるように構成されている。
【００１０】
請求項３に記載のこの発明の鮑の大きさ判定用具は、一端部に目印となる標識を取り付けた２つのコイル・スプリングと、鮑鉤の屈曲部の両側に植設された螺子棒に上記２つのコイル・スプリングの他端部をねじ込んだものである。
【発明の効果】
【００１１】
この発明の鮑の大きさ判定用具によると、海水中において鮑鉤により鮑を捕獲する前に船上において鮑の大きさを判定することができるので、不要な捕獲や、捕獲規制の対象となっている鮑を傷を付けることがない。
【発明を実施するための最良の形態】
【００１２】
（第１の実施形態）
船上から海底に生息する鮑鮑を捕獲する際には、図５に示す先の曲がった金属製の鮑鉤３を長い竿４の先端に取り付けた捕獲用具が従来より使用されている。鮑鉤３は、先鋭な先端部31と、鉤形に曲げられた屈曲部32と、竿４に縛り付けられる部分33とにより構成されている。この発明の鮑の大きさ判定用具は、このような従来の金属製の鮑鉤３に取り付けるものである。
【００１３】
この発明の鮑の大きさ判定用具１は、図１の平面図に示すように、合成樹脂製シートなどの弾性を有する薄板をほぼＴ字に打ち抜き加工したものであって、中央の取付部11には、後端より大きさが次第に小さくなる複数の穴12〜15があけられており、取付部11と交叉する羽根部16の両端には、羽根部16と交叉する２つの標識17が形成されている。また、羽根部16の中央には、鮑鉤３の先端31を認識するための三角形の標識18を形成してもよいのである。
【００１４】
羽根部16の両端に形成した２つの標識17の間隔は、捕獲が許可された鮑の大きさ（９ｃｍ）となるように設定されている。
【００１５】
海水中において、このように構成された判定用具１を視認し易いように、薄板の素材には、明るい色彩の合成樹脂製シートを使用したり、蛍光顔料を練り込んだ合成樹脂製シートを使用したり、あるいは表面に蛍光塗料を塗布することが望ましい。
【００１６】
このように構成された判定用具１を鮑鉤３に取り付ける際には、判定用具１は弾性を有して変形自在であるから、図２の斜視図に示すように、鮑鉤３の先端31を先ず取付部11の後端の大きい穴12に挿通し、続いて鮑鉤３で各穴13〜15を表裏から縫うように順次に挿通して取り付ける。
【００１７】
鮑鉤３は円弧状に曲がっているから、鮑鉤３で取付部11を表裏から縫うように取り付けると、判定用具１は鮑鉤３に対して回動しないので、羽根部16は、鮑鉤３の屈曲部32を含む平面に対して直交した姿勢を保つことができる。
【００１８】
また、羽根部16の中央部に三角形の標識18が形成されているので、鮑鉤３が目立たなくても、この三角形の標識18により鮑鉤３の先端31の位置を容易に把握できて、捕獲する鮑の殻に鮑鉤３の先端31を合わせることができる。
【００１９】
鮑を捕獲する際には、見付けた鮑に竿４に縛り付けた鮑鉤３を接近させて、２つの標識17を鮑に合わせ、２つの標識17の間隔よりも大きいと判断した場合には、その鮑を捕獲し、小さいと判断した場合には捕獲しない。
【００２０】
（第２の実施形態））
この発明の鮑の大きさ判定用具の第２の実施形態は、第１の実施形態と同様に金属製の鮑鉤３に取り付けるものであって、図３の斜視図および図４の組立図に示すように、錆び難いステンレス製のコイル・スプリング21と、このコイル・スプリング21の一端部に取り付けられた目印となる標識24と、コイル・スプリング21の他端部を鮑鉤３に固定する螺子棒22とにより構成される。
【００２１】
標識24は、コイル・スプリング21の端部にねじ込む小径部26と、目印となる大経部25とよりなり、視認を容易にするために白色の合成樹脂または蛍光顔料を練り込んだ合成樹脂製で成型され、あるいは表面に蛍光塗料が塗布されている。
【００２２】
鮑鉤３には、判定用具を取り付けるために、屈曲部32に横方向の螺子穴34があけられている。
【００２３】
中央部近傍に螺子山を潰した部分23を形成した螺子棒22を予め作っておく。そして、この螺子棒22を鮑鉤３の螺子穴34に螺子山を潰した部分23までねじ込んで、鮑鉤３の両側に螺子棒22を植設する。このように、螺子山を潰した部分23まで螺子棒22をねじ込むと、屈曲部32の両側に突出する螺子棒22の長さをほぼ等しくすることができる。
【００２４】
植設された螺子棒22の両側に、一端に標識24を付けた２つのコイル・スプリング21の他端をねじ込むと、図３の斜視図に示すように、屈曲部32を含む平面と交叉するように、屈曲部32の両側に標識24を付けたコイル・スプリング21よりなる鮑の大きさ判定用具を備えた鮑鉤３が完成する。
【００２５】
鮑を捕獲する際には、見付けた鮑に竿４に縛り付けた鮑鉤３を接近させて、２つの標識24を鮑に合わせ、２つの標識24の間隔よりも大きいと判断した場合には、その鮑を捕獲し、小さいと判断した場合には捕獲しない。
【図面の簡単な説明】
【００２６】
【図１】この発明の鮑の大きさ判定用具の第１の実施形態を示す平面図、
【図２】第１の実施形態の判定用具を取り付けた状態を示す鮑鉤の斜視図、
【図３】第２の実施形態の判定用具を取り付けた状態を示す鮑鉤の斜視図、
【図４】この発明の鮑の大きさ判定用具の第２の実施形態を示す組立図、
【図５】従来の鮑鉤の一例を示す側面図である。
【符号の説明】
【００２７】
１  判定用具
11  取付部
12〜15  穴
16  羽根部
17  標識
21  コイル・スプリング
22  螺子棒
24  標識
３  鮑鉤
31  先鋭な先端部
32  屈曲部
33  竿に縛り付ける部分
34  螺子穴
４  竿
【図１】
2006226819.tif 000003
【図２】
2006226819.tif 000004
【図３】
2006226819.tif 000005
【図４】
2006226819.tif 000006
【図５】
2006226819.tif 000007